(57)【要約】【課題】自由なレイアウトが可能で、床面積を有効利用することが可能な、使用性に優れたデスクシステムを提案する。【解決手段】床上に立設される規格化されたパーティション１と、パーティション１に着脱自在に固定される凹形状の天板２と、床上に立設されて天板２を支持する少なくとも１本の脚材３と、を備えるデスクシステムＤであって、パーティション１は、少なくとも主パネル１０と該主パネル１０と直角方向に接合された副パネル１１とからなり、天板２は、主パネル１０と副パネル１１にて形成されるスペースに二枚一組で配置され、かつ天板２の辺のうち、少なくとも１辺が主パネル１０または副パネル１１のいずれかの所定の位置に固定されることで、変更自在な着座スペースを形成する。【選択図】図１
2007330428.tif 000002
【特許請求の範囲】
【請求項１】
床上に立設される規格化されたパーティションと、
前記パーティションに着脱自在に固定される凹形状の天板と、
床上に立設されて前記天板を支持する少なくとも１本の脚材と、を備えるデスクシステムであって、
前記パーティションは、少なくとも主パネルと該主パネルと直角方向に接合された副パネルとからなり、
前記天板は、前記主パネルと前記副パネルにて形成されるスペースに二枚一組で配置され、かつ前記天板の辺のうち、少なくとも１辺が前記主パネルまたは前記副パネルのいずれかの所定の位置に固定されることで、変更自在な着座スペースを形成することを特徴とする、デスクシステム。
【請求項２】
前記天板は線対称に配置されることを特徴とする、請求項１に記載のデスクシステム。
【請求項３】
前記着座スペースは、複数の利用者で共有されることを特徴とする、請求項１または請求項２に記載のデスクシステム。
【請求項４】
前記天板は、平面形状が長方形の一部を切り欠いたＬ字状で、少なくとも該天板の切り欠いていない側の長辺が、前記副パネルに固定されていることを特徴とする、請求項１乃至請求項３に記載のデスクシステム。
【請求項５】
前記天板の長辺は前記主パネル、該長辺と直角をなす一方の短辺は前記副パネルに各々固定されていることを特徴とする、請求項１乃至請求項４に記載のデスクシステム。
【請求項６】
前記脚材は、前記天板の前記主パネルと反対側に位置する先端部近傍に位置することを特徴とする、請求項１乃至請求項５に記載のデスクシステム。
【発明の詳細な説明】
【技術分野】
【０００１】
本発明は、パーティションと机とが一体に構成されたデスクシステムに関する。
【背景技術】
【０００２】
オフィスなどでは、パーティションを配置することにより、室内のレイアウトを簡易的に設定する場合がある。そして、このパーティションに、天板を一体に固定することにより、別途机を配置することを省略して、省スペース化を図る場合がある。
【０００３】
例えば、特許文献１に記載の発明には、図４に示すように、ブラケット１０４を介してパーティション１０１に天板１０２を固定することにより、パーティション１０１に沿って机が形成された机付パーティションＤ’が開示されている。
【０００４】
この机付パーティションＤ’は、各天板１０２をその両端において、パーティションパネル１０１に固定されたブラケット１０４により支持することで、パーティションパネル１０１の一面から天板１０２が突出するように固定されている。なお、図４における符号１０３は、パーティション１０１（机）の転倒を防止することを目的として設けられた脚材１０３である。
【特許文献１】特開２００１−１２８７５３号公報
【発明の開示】
【発明が解決しようとする課題】
【０００５】
ところが、従来の机付パーティションＤ’は、天板１０２がパーティション１０１に沿って固定されるように構成されているため、レイアウトの自由度が制限されてしまうという問題点を有していた。
【０００６】
本発明は、前記の問題点を解決するものであり、自由なレイアウトが可能で、床面積を有効利用することが可能な、使用性に優れたデスクシステムを提案することを課題とする。
【課題を解決するための手段】
【０００７】
前記の課題を解決するために、本発明は、床上に立設される規格化されたパーティションと、前記パーティションに着脱自在に固定される凹形状の天板と、床上に立設されて前記天板を支持する少なくとも１本の脚材と、を備えるデスクシステムであって、前記パーティションは、少なくとも主パネルと該主パネルと直角方向に接合された副パネルとからなり、前記天板は、前記主パネルと前記副パネルにて形成されるスペースに二枚一組で配置され、かつ前記天板の辺のうち、少なくとも１辺が前記主パネルまたは前記副パネルのいずれかの所定の位置に固定されることで、変更自在な着座スペースを形成することを特徴としている。
【０００８】
かかるデスクシステムは、床上に立設されたパーティションに対して、着脱自在な天板について、自由に位置や向きを変更させることが可能なため、レイアウト設計の自由度が増し、好適である。つまり、パーティションの配置を変更することなく、天板を移動させるのみで机のレイアウトとともに着座スペースの広さ、向き、開放性等を変更することができる。そのため、用途や利用者の要望に容易に対応することが可能となる。また、複数の机を配置すると、各机の脚材が机の使用時等に邪魔になる場合があるが、このデスクシステムによれば、最小限（少なくとも１本）の脚材により支持されるため、脚材が邪魔となることがない。また、天板は、少なくとも１本の脚材により支持されているため、パーティションと脚材を有した天板とが互いに支持しあって、転倒することが防止されている。
ここで、着座スペースとは、天板とパーティションとの配置により規定される空間をいう。また凹形状とは、所望の着座スペースを形成する部分を切り欠いた形で、矩形が一般的な天板の角や辺に窪みを設けることで、使用者が脇（袖）を使いやすくするための形状（例えば、平面視Ｌ字状やコの字状等）をいう。
【０００９】
前記デスクシステムについて、前記天板が線対称に配置されていてもよい。この構成によれば、パーティションと２枚の天板とにより形成される着座スペースが、閉鎖型、中庸型、開放型の３種類のいずれかに形成されるため、利用者は用途等に応じて、この３種類の着座スペースから選択した向きに天板の配置を行う。
【００１０】
ここで、閉鎖型着座スペースは、２名の利用者が背中合わせに座り、着座スペースへの出入り口を狭めた個室感覚に近い着座スペースをいう。この着座スペースによれば、外部から干渉され難く、自分の仕事に専念しやすい。
また、開放型着座スペースは、複数の利用者が同じ方向を向いて並んで着座し、執務スペースを互いに共有することで、相談しながらの共同作業もできる着座スペースをいう。また、この開放型着座スペースによれば、一人で広い机上を使いたい場合にも便利である。
さらに、中庸型着座スペースは、２名の利用者が背中合わせに座るが、出入りはし易い閉鎖型と開放型の中間タイプの着座スペースである。
【００１１】
また、前記デスクシステムについて、前記着座スペースが、複数の利用者で共有されていてもよい。この構成によれば、オフィスの限られた床面積を有効利用することが可能となり、好適である。
【００１２】
また、前記デスクシステムについて、前記天板が、平面形状が長方形の一部を切り欠いたＬ字状を呈していて、少なくとも該天板の切り欠いていない側の長辺が、前記主パネルまたは前記副パネルのいずれかに固定されていてもよい。
さらに、このデスクシステムにおいて、前記天板の長辺は前記主パネル、該長辺と直角をなす一方の短辺は前記副パネルに各々固定されていてもよい。
【００１３】
かかるデスクシステムによれば、天板が切り欠かれて略Ｌ字を呈しているため、広い机の面積を確保するとともに、省スペース化が可能となり好適である。つまり、天板の長辺が平行となるように、複数の天板を配置した場合であっても、切り欠き部分にイス（利用者）の配置スペースが確保されて、天板同士の間隔を狭めることが可能となる。また、長辺が、パーティションに固定されているため、バランスがよく、脚材の本数を極力減らすことで、さらに、机の利便性が向上する。
【００１４】
また、前記デスクシステムにおいて、前記脚材が、前記天板の前記主パネルと反対側に位置する先端部近傍に位置されていてもよい。
この構成によれば、デスクシステムが、脚材が１本のみのため、デスクシステムの使用時に脚材が邪魔にならならい。
【発明の効果】
【００１５】
本発明のデスクシステムによれば、ユニット化したパーティションと天板とを適切に組み合わせることにより、組織やグループ編成の変更に対応できる自由なレイアウトが可能になる。また、利用者が専有できる着座スペースが規定されるとともに、席の後ろや通路も共有空間として利用できるので、限られた室内を広く使うことが可能となる。
【発明を実施するための最良の形態】
【００１６】
本発明の好適な実施の形態について、図面を参照して説明する。なお、説明において、同一要素には同一の符号を用い、重複する説明は省略する。
図１は本実施の形態に係るデスクシステムを示す平面図である。図２はデスクシステムを下方から望む斜視図である。図３は図２のデスクシステムの分解斜視図である。
【００１７】
本実施形態に係るデスクシステムＤは、図１に示すように、床上に立設された規格化されたパーティション１と、このパーティション１に着脱自在に固定される凹形状の天板２と、床上に立設されて天板２を支持する脚材３とを備えている。
天板２のパーティション１への固定は、図２に示すように、複数のブラケット４，４，…を介して行うものとする。
【００１８】
パーティション１は、主パネル１０とこの主パネル１０に対して直角に接合された複数の副パネル１１，１１，…とを一体に固定することにより自立している。パーティション１の形状寸法は、その目的に応じて適宜設定すればよく、限定されるものではないが、本実施形態ではパーティション１の高さを約１３０ｃｍとする。
【００１９】
本実施形態に係るパーティション１は、天板２の長辺２２の略４倍程度の長さを有する主パネル１０の両端と中間において、副パネル１１，１１，…が固定されており、平面視で略王の字を呈している。つまり、主パネル１０と２枚の副パネル１１，１１との組み合わせにより、平面視略コの字状に形成された空間が４箇所形成されている。
なお、パーティション１の形状は、前記の形状に限定されないことはいうまでもなく、適宜設定することが可能である。
【００２０】
副パネル１１は、天板２の長辺２２と略同じ長さを有しており、その先端が主パネル１０の側面に当接するように配置することで、主パネル１０に直交した状態で固定されている。なお、副パネル１１の構成は限定されるものではなく、例えば、副パネル１１ａのように、長辺２２の２倍程度の長さを有しており、主パネル１０の先端が側面に当接するように、固定されていてもよい。また、主パネル１０と副パネル１１との固定方法は限定されるものではなく、適宜公知の手段から選定して行えばよい。また、本実施形態では、主パネル１０と副パネル１１との組み合わせにより、パーティション１が自立するように構成しているが、脚材等の転倒防止手段を介して、パーティション１を立設させてもよいことはいうまでもない。
【００２１】
主パネル１０および副パネル１１には、図３に示すように、それぞれ、ブラケット４に対応する箇所に、ブラケット４を固定するためのネジ受部１２，１２，…が形成されており、固定ネジｓによるブラケット４の固定によりパーティション１に破損が生じることが防止されている。このネジ受部１２，１２，…は、固定ネジｓに対応して形成されたネジ穴の周囲を金属板で補強することにより形成されている。なお、本実施形態では、ネジ受部１２として、ブラケット４を固定するために必要な固定ネジｓの本数に応じて、ネジ孔を２個所形成するものとしたが、ネジ受部１２として、縦に多数のネジ孔を備える構成として、天板２の高さを調整可能に構成してもよい。また、パーティション１がブラケット４（天板２）の固定に対して十分な強度を有している場合には、ネジ受部１２を形成することなく、ネジ孔のみを形成してもよいことはいうまでもない。
【００２２】
天板２は、木製の板材であって、図１に示すように、平面形状が長方形の一部を切り欠いたＬ字状を呈している。つまり、切り欠き部２１は、長方形の一方の長辺と一方の短辺とにより形成される角を含んだ状態で切り欠くこと（角窪み）により、天板本体２０がＬ字状（凹形状）を呈するように形成されている。なお、天板２を構成する材料は限定されるものではなく、無垢材、集成材、合板材等、適宜公知の材料から選定して使用すればよい。また、天板２は、木製の板材に限定されないことはいうまでもなく、硝子板、金属板、樹脂板等、あらゆる公知の板材が採用可能である。
【００２３】
そして、天板２は、少なくとも天板２の切り欠いていない側の長辺２２が、主パネル１０または副パネル１１のいずれかに固定されている。また、天板２は、その下面に固定された少なくとも１本の脚材３により支持されている。さらに、天板２の長辺と短辺とがなす各角部は円弧状に面取りされている。なお、角部の面取りは必ずしも行う必要がないことはいうまでもない。
【００２４】
本実施形態では、天板２の上面が床面から約７０ｃｍの位置になるようにデスクシステムＤを構成しているが、天板２の高さは、適宜設定すればよいことはいうまでもない。
【００２５】
本実施形態に係る天板２の切り欠き部２１は、Ｌ字状の曲線を呈しているものとするが、天板２の形状は限定されるものではなく、例えば、略直角に切り欠くことによりＬ字状に形成してもよい。また、天板２の形状はＬ字状に限定されるものではなく、所望の着座スペースを形成する窪みがあればよい。
【００２６】
天板２は、図２に示すように、複数（本実施形態では３個）のブラケット４，４，…を介してパーティション１に固定されているとともに、先端部において下面に固定された脚材３により支持されている。
【００２７】
図３に示すように、天板２の下面には、長辺２２、短辺２３，２４に沿って、所定のピッチによるネジ受部２５，２５，…が形成されており、固定ネジｓ，ｓ，…を介してブラケット４を固定することが可能に構成されている。なお、長辺２２、短辺２３，２４のそれぞれに沿って形成されたネジ受部２５，２５，…のピッチは、パーティション１に形成されたネジ受部１２，１２，…に対応しており、天板２の向きを変更させても、ブラケット４による天板２のパーティション１への固定が可能に構成されている。
【００２８】
ネジ受部２５，２５，…は、固定ネジｓに対応して形成されたネジ穴の周囲を金属板により補強することにより形成されている。なお、本実施形態では、ネジ受部２５として、ブラケット４を固定するために必要な固定ネジｓの本数に応じて、ネジ孔を２個所形成するものとしたが、ネジ孔の数は限定されるものではない。また、天板２がブラケット４の固定に対して十分な強度を有している場合には、ネジ受部２５を形成することなく、ネジ孔のみを形成してもよいことはいうまでもない。
【００２９】
また、天板２の下面両先端部近傍には、脚材３を固定するためのネジ孔２６，２６，…が形成されている。ここで、天板２の先端部とは、Ｌ字状に形成された天板２の切り欠き部２１側の長辺と切り欠かれていない短辺２３との角部付近（先端部２７）と、切り欠き部２１側の短辺２４と切り欠かれていない長辺２２との角部付近（先端部２８）をいう。ネジ孔２６，２６，…の数量は限定されるものではないが、本実施形態では、それぞれ４箇所形成するものとする。
【００３０】
脚材３は、図２または図３に示すように、円柱状の本体部３０と、本体部３０の上端に固定された正方形の金属板からなる固定板３１と、本体部の下端に固定された正方形の金属板からなる底板３２と、から構成されている。そして、脚材３は、天板２の水平性を保つように、天板の下面から床面までの高さを有している。
【００３１】
本体部３０は、例えば金属製のパイプ材からなり、固定板３１および底板３２がそれぞれ上端および下端に溶接接合されている。なお、本体部３０を構成する部材は限定されるものではなく、適宜公知の材料から選定して使用すればよい。また、本体部３０の形状も限定されるものではなく、例えば四角柱や三角柱に形成されていてもよい。
【００３２】
固定板３１は、図３に示すように、本体部３０の上端に一体に固定されており、固定ネジｓを挿通するためのネジ穴３３，３３，…が４箇所形成されている。そして、図２に示すように、脚材３は、固定板３１を固定ネジｓ，ｓ，…により天板２に締着させることで、天板２に固定される。なお、固定板３１の形状は、例えば、円形、楕円形、長方形、その他の多角形等でもよく、正方形に限定されないことはいうまでもない。また、固定板３１を構成する材料も限定されるものではない。
【００３３】
底板３２は、本体部３０の下端に一体に固定されており、脚材３の支持面積を広くすることで安定性を向上させている。なお、底板３２の形状は、例えば、円形、楕円形、長方形、その他の多角形等でもよく、正方形に限定されないことはいうまでもない。また、底板３２を構成する材料も限定されるものではない。
【００３４】
なお、本実施形態では、脚材３として、上端と下端にそれぞれ固定板３１と底板３２が形成されたものを使用するものとしたが、例えば、底板３２を省略するなど、脚材３の構成は限定されるものではないことはいうまでもない。
また、固定板３１を介して脚材３を天板２に固定するものとしたが、脚材３の固定方法は限定されるものではなく、適宜公知の手段により行えばよい。
さらに、脚材３を構成する材料等も限定されないことはいうまでもない。
【００３５】
ブラケット４は、鋼製の部材であって、図２に示すように、所定の間隔によりパーティションに固定されて、天板２を下面から支持するように構成されている。
本実施形態に係るブラケット４は、Ｌ字状の部材であって、各片にそれぞれ２箇所ずつ、計４箇所のネジ孔４１が形成されている。そして、このネジ孔４１，４１，…に固定ネジｓを挿通させた状態で、一方の片をパーティション１に、他方の片を天板２に締着させることで、パーティション１と天板２とを一体に固定する。
なお、本実施形態では、ブラケット４を介して天板２をパーティション１に固定するものとしたが、パーティション１への天板２の固定手段は、ブラケット４に限定されるものではなく、適宜公知の固定手段の中から選定して採用すればよい。ブラケット４を構成する材料は、天板２の支持が可能であれば、限定されるものではなく、適宜公知のものから選定して使用すればよい。また、ブラケット４の形状も限定されないことはいうまでもない。
【００３６】
本実施形態に係るデスクシステムＤは、主パネル１０と副パネル１１により形成される空間に天板２を二枚一組で配置して、かつ、天板２の辺のうち、少なくとも切り欠いていない側の長辺２２が主パネル１０または副パネル１１のいずれかの所定の位置に固定されることで、変更自在な着座スペースを形成している。この時、二枚一組で配置された天板２，２は、線対称に配置されており、これにより形成された着座スペースは、複数の利用者で共有されている。
【００３７】
本実施形態では、図１に示すように、着座スペースが利用者の用途に応じて、閉鎖型着座スペースＡ１、中庸型着座スペースＡ２、開放型着座スペースＡ３の３種類のいずれかに形成されている。
【００３８】
閉鎖型着座スペースＡ１では、２名の利用者が背中合わせに座るように、主パネル１０と副パネル１１，１１とによりコの字状に形成された空間に、天板２，２の長辺２２，２２がそれぞれ副パネル１１，１１に固定されているとともに、切り欠かれた側の短辺２４，２４がそれぞれ主パネル１０に固定された状態で、主パネル１０側と反対側に位置された一方の先端部２７，２７近傍においてそれぞれ１本の脚材により支持されることで形成されている。
【００３９】
この閉鎖型着座スペースＡ１は、出入口が天板２，２により狭められているため、通路からの出入が制限されて個室感覚に近い独立性が保たれる。そのため、外部から干渉され難く、利用者には自分の仕事に専念しやすい環境が提供される。
【００４０】
中庸型着座スペースＡ２は、２名の利用者が背中合わせに座るように、主パネル１０と副パネル１１，１１とによりコの字状に形成された空間に、各天板２の長辺２２，２２がそれぞれ副パネル１１に固定されているとともに、切り欠かれていない短辺２３，２３がそれぞれ主パネル１０に固定された状態で、主パネル１０側と反対側に位置された他方の先端部２８，２８近傍においてそれぞれ１本の脚材により支持されることで形成されている。
【００４１】
この中庸型着座スペースＡ２によれば、利用者が個々の作業スペースを確保するとともに、出入し易い、開放空間を得ることが可能となる。このため、図１に示すように、この中庸型着座スペースＡ２を互いに対向するように二つ形成することで、この中庸型着座スペースＡ２，Ａ２を組み合わせて、利用者の打合せスペースとして、利用することが可能となる。
【００４２】
開放型着座スペースＡ３は、コの字状に形成されたパーティション１の空間内において、２枚の天板２，２のそれぞれの長辺２２，２２が主パネル１０に固定されるとともに、互いの切り欠いた側の短辺２４，２４が突き合わされた状態で配置されることで形成されている。２枚の天板２，２は、組み合わせた状態で平面視がコの字を呈している。
【００４３】
この開放型着座スペースＡ３によれば、複数の利用者が同じ方向を向いて並んで着座し、互いに執務スペースを共有することで、相談しながらの共同作業が可能となる。また、この開放型着座スペースＡ３を互いに対向するように二つ形成すれることで、この開放型着座スペースＡ３，Ａ３を組み合わせて、打合せ（会議）スペースとして利用することが可能となる。この構成により、中庸型着座スペースよりも、広い共有スペースを確保することが可能となる。
なお、開放型着座スペースＡ３を構成する場合において、２枚の天板２，２の短辺２４，２４の間に長方形状の天板を配置して連結することにより、机（執務スペース）を長くしてもよい。これにより、より多くの利用者により共有することが可能となる。
【００４４】
本実施形態に係るデスクシステムＤは、パーティション１と天板２とが、ブラケット４を介して締着されることにより固定されているため、着脱が可能であり、配置換え等を容易に行うことができる。そのため、レイアウトの自由度が増し、好適である。
【００４５】
また、各天板２は、パーティション１に固定されていることにより、１本の脚材３のみで支持することが可能なため、デスクシステムＤの利用者の移動やイス５や引き出し（図示せず）等の配置等において脚材３が妨げとなること、デスクシステムＤの利便性やレイアウトの自由度等が向上する。また、視界に入る脚材３の本数が少ない分、意匠の面においても優れている。
【００４６】
なお、天板２の配置は、パーティション１により囲まれた空間のみではなく、外側に配置してもよい。また、天板２を１枚のみとパーティションとを組み合わせて使用すれば、通常の机と同様の利用が可能である。
【００４７】
以上、本発明について、好適な実施形態の一例を説明した。しかし、本発明は、前記実施形態に限られず、前記の各構成要素については、本発明の趣旨を逸脱しない範囲で、適宜設計変更が可能である。
例えば、前記実施形態では、２枚の天板を、パーティションにより形成された空間内において線対称に配置するものとしたが、天板は、必ずしも線対称に配置される必要はないことはいうまでもない。例えば、一方の天板の長辺が主パネルと平行の向き、他方の長辺が副パネルと平行の向きとなるように配置されていたり、２枚の天板が同じ方向を向いて一列に並んだ状態で配置されていてもよい。
【００４８】
また、パーティションの配置や天板の数や配置等は、前記実施形態に示したものに限定されないことはいうまでもなく、用途に応じて適宜変更することが可能である。
また、天板の両面（上面および下面）を表面として使用可能に構成すれば、一種類の天板を利用して、前記各レイアウトを構成することが可能となる。これにより、天板の製造に要する手間と費用を削減することが可能となる。
【００４９】
また、前記実施形態では、ブラケット等の固定手段を介して天板をパーティションに固定するものとしたが、固定方法は限定されるものではなく、例えば、天板とパーティションとが互いに嵌合するように構成されていてもよい。
【００５０】
また、前記実施形態では、天板のパーティションへの固定について、少なくとも切り欠いていない側の長辺が固定されるものとしたが、短辺のみが固定されていてもよいことはいうまでもない。
【図面の簡単な説明】
【００５１】
【図１】実施の形態に係るデスクシステムを示す平面図である。
【図２】デスクシステムを下方から望む斜視図である。
【図３】図２に示すデスクシステムの分解斜視図である。
【図４】従来の机付きパーティションを示す斜視図である。
【符号の説明】
【００５２】
１    パーティション
１０  主パネル
１１  副パネル
２    天板
２１  切り欠き部
２２  長辺
２３，２４  短辺
３    脚材
Ｄ    デスクシステム
【図１】
2007330428.tif 000003
【図２】
2007330428.tif 000004
【図３】
2007330428.tif 000005
【図４】
2007330428.tif 000006